(57)【特許請求の範囲】
【請求項１】
モータと、
前記モータを内設したハウジングと、
前記ハウジングの一側面に形成されるスリットと、
前記一側面に形成されるネジ孔と、
前記ハウジングに取り付け可能な吊り下げ具と、を有する充電式電動工具であって、
前記吊り下げ具は、取付孔を有する板状の基端部と、前記基端部から直交状に突出する挿入片と、前記基端部に連結されたＵ字状の係止部と、を有し、前記係止部は、前記基端部に連結される第１連結部及び第２連結部を有して、前記第１連結部及び前記第２連結部の間に、前記取付孔及び前記挿入片が配置されるものであり、
前記吊り下げ具は、前記係止部を後方に突出させた姿勢で前記挿入片を前記スリットに挿入し、前記取付孔を貫通させたネジを前記ネジ孔へねじ込むことによって、前記ハウジングに取り付けられることを特徴とする充電式電動工具。
【請求項２】
モータと、
前記モータを内設したハウジングと、
前記ハウジングの一側面に形成されるスリットと、
前記一側面に形成されるネジ孔と、
前記ハウジングに取り付け可能な吊り下げ具と、を有する充電式電動工具であって、
前記吊り下げ具は、取付孔を有する板状の基端部と、前記基端部から直交状に突出する挿入片と、前記基端部に連結されたＵ字状の係止部と、を有し、前記係止部は、前記基端部に連結される第１連結部及び第２連結部を有して、前記吊り下げ具の一方の端縁と前記取付孔との間に前記第１連結部が配置され、前記吊り下げ具の他方の端縁と前記取付孔との間に前記第２連結部が配置されるものであり、
前記吊り下げ具は、前記係止部を後方に突出させた姿勢で前記挿入片を前記スリットに挿入し、前記取付孔を貫通させたネジを前記ネジ孔へねじ込むことによって、前記ハウジングに取り付けられることを特徴とする充電式電動工具。
【請求項３】
モータと、
前記モータを内設したハウジングと、
前記ハウジングの一側面に形成されるスリットと、
前記一側面に形成されるネジ孔と、
前記ハウジングに取り付け可能な吊り下げ具と、を有する充電式電動工具であって、
前記吊り下げ具は、取付孔を有する板状の基端部と、前記基端部から直交状に突出する挿入片と、前記基端部に連結されたＵ字状の係止部と、を有し、前記基端部と前記係止部との連結部は、前記一側面側に配置されるものであり、
前記吊り下げ具は、前記係止部を後方に突出させた姿勢で前記挿入片を前記スリットに挿入し、前記取付孔を貫通させたネジを前記ネジ孔へねじ込むことによって、前記ハウジングに取り付けられることを特徴とする充電式電動工具。
【請求項４】
充電式電動工具用の吊り下げ具であって、
取付孔を有する板状の基端部と、前記基端部に連結されたＵ字状の係止部と、前記基端部から直交状に突出する挿入片と、を有し、前記係止部は、前記基端部に連結される第１連結部及び第２連結部を有して、前記第１連結部及び前記第２連結部の間に、前記取付孔及び前記挿入片が配置されるものであり、
前記係止部を後方に突出させた姿勢で前記挿入片を前記充電式電動工具の一側面に形成されたスリットに挿入し、前記取付孔を貫通させたネジを前記充電式電動工具の一側面に形成されたネジ孔へねじ込むことによって、前記充電式電動工具に取り付けられることを特徴とする充電式電動工具用の吊り下げ具。
【請求項５】
充電式電動工具用の吊り下げ具であって、
取付孔を有する板状の基端部と、前記基端部に連結されたＵ字状の係止部と、前記基端部から直交状に突出する挿入片と、を有し、前記係止部は、前記基端部に連結される第１連結部及び第２連結部を有して、前記吊り下げ具の一方の端縁と前記取付孔との間に前記第１連結部が配置され、前記吊り下げ具の他方の端縁と前記取付孔との間に前記第２連結部が配置されるものであり、
前記係止部を後方に突出させた姿勢で前記挿入片を前記充電式電動工具の一側面に形成されたスリットに挿入し、前記取付孔を貫通させたネジを前記充電式電動工具の一側面に形成されたネジ孔へねじ込むことによって、前記充電式電動工具に取り付けられることを特徴とする充電式電動工具用の吊り下げ具。
【請求項６】
充電式電動工具用の吊り下げ具であって、
取付孔を有する板状の基端部と、前記基端部に連結されたＵ字状の係止部と、前記基端部から直交状に突出する挿入片と、を有し、
前記係止部を後方に突出させた姿勢で前記挿入片を前記充電式電動工具の一側面に形成されたスリットに挿入し、前記取付孔を貫通させたネジを前記充電式電動工具の一側面に形成されたネジ孔へねじ込むことによって、前記基端部と前記係止部との連結部を前記一側面側に配置した状態で前記充電式電動工具に取り付けられることを特徴とする充電式電動工具用の吊り下げ具。
【請求項７】
ハウジングの一側面にスリット及びネジ孔を有して請求項４乃至６の何れかに記載の充電式電動工具用の吊り下げ具を取り付け可能な充電式電動工具。
【請求項８】
モータと、
前記モータを内設したハウジングと、
前記ハウジングの一側面に形成されるスリットと、
前記一側面に形成されるネジ孔と、を有する充電式電動工具であって、
直交状に突出する挿入片及び取付孔を有する板状の基端部と、その基端部に連結されたＵ字状の係止部とを有し、前記係止部は、前記基端部に連結される第１連結部及び第２連結部を有して、前記第１連結部及び前記第２連結部の間に、前記取付孔及び前記挿入片が配置される吊り下げ具を、前記係止部を後方に突出させた姿勢で前記挿入片を前記スリットに挿入し、前記取付孔を貫通させたネジを前記ネジ孔へねじ込むことにより、前記ハウジングに取り付け可能としたことを特徴とする充電式電動工具。
【請求項９】
モータと、
前記モータを内設したハウジングと、
前記ハウジングの一側面に形成されるスリットと、
前記一側面に形成されるネジ孔と、を有する充電式電動工具であって、
直交状に突出する挿入片及び取付孔を有する板状の基端部と、その基端部に連結されたＵ字状の係止部とを有し、前記係止部は、前記基端部に連結される第１連結部及び第２連結部を有して、前記吊り下げ具の一方の端縁と前記取付孔との間に前記第１連結部が配置され、前記吊り下げ具の他方の端縁と前記取付孔との間に前記第２連結部が配置される吊り下げ具を、前記係止部を後方に突出させた姿勢で前記挿入片を前記スリットに挿入し、前記取付孔を貫通させたネジを前記ネジ孔へねじ込むことにより、前記ハウジングに取り付け可能としたことを特徴とする充電式電動工具。
【請求項１０】
モータと、
前記モータを内設したハウジングと、
前記ハウジングの一側面に形成されるスリットと、
前記一側面に形成されるネジ孔と、を有する充電式電動工具であって、
直交状に突出する挿入片及び取付孔を有する板状の基端部と、その基端部に連結されたＵ字状の係止部とを有する吊り下げ具を、前記係止部を後方に突出させた姿勢で前記挿入片を前記スリットに挿入し、前記取付孔を貫通させたネジを前記ネジ孔へねじ込むことにより、前記基端部と前記係止部との連結部を前記一側面側に配置した状態で前記ハウジングに取り付け可能としたことを特徴とする充電式電動工具。
【発明の詳細な説明】
【技術分野】
【０００１】
本発明は、インパクトドライバ等の携帯可能な充電式電動工具に関する。
【背景技術】
【０００２】
充電式電動工具には、作業者が腰のベルト等に掛止させて吊り下げ携帯することができるように、吊り下げ具が設けられる場合がある。例えば特許文献１には、電動工具の本体へその側面に沿って着脱可能に装着され、本体の後方へ係止部分を突出させた係止具（吊り下げ具）が、特許文献２には、端部に設けた突起を工具本体の穴に挿入して回転可能とした吊り具（吊り下げ具）が夫々記載されている。
【０００３】
【特許文献１】特開２００６−２３９８５１号公報
【特許文献２】実開平６−８５７７４号公報
【発明の開示】
【発明が解決しようとする課題】
【０００４】
充電式電動工具は、本体から下方に伸びたハンドルの下端に質量の大きいバッテリーが装着される。従って、特許文献１のように本体の後方に吊り下げ具が設けられると、ベルト等に掛止させた際に電動工具が前後に揺れやすく、携帯時の安定性が悪い。特許文献２のようにハンドルの下端に設ければ、前後の揺れは抑えられるが、吊り下げ具の回転構造によって電動工具が左右に揺れる場合があり、結局安定性を損なうことになる。また、吊り下げ具がハンドルの後面側に設けられるため、本体の先端側（ビット側）が側方へ飛び出す格好となり、作業の邪魔になってしまう。
【０００５】
そこで、本発明は、腰のベルト等に収まりよく携帯でき、携帯時の安定性も高くなる充電式電動工具を提供することを目的としたものである。
【課題を解決するための手段】
【０００６】
上記目的を達成するために、請求項１に記載の発明は、モータと、前記モータを内設したハウジングと、前記ハウジングの一側面に形成されるスリットと、前記一側面に形成されるネジ孔と、前記ハウジングに取り付け可能な吊り下げ具と、を有する充電式電動工具であって、前記吊り下げ具は、取付孔を有する板状の基端部と、前記基端部から直交状に突出する挿入片と、前記基端部に連結されたＵ字状の係止部と、を有し、前記係止部は、前記基端部に連結される第１連結部及び第２連結部を有して、前記第１連結部及び前記第２連結部の間に、前記取付孔及び前記挿入片が配置されるものであり、前記吊り下げ具は、前記係止部を後方に突出させた姿勢で前記挿入片を前記スリットに挿入し、前記取付孔を貫通させたネジを前記ネジ孔へねじ込むことによって、前記ハウジングに取り付けられることを特徴とするものである。
上記目的を達成するために、請求項２に記載の発明は、モータと、前記モータを内設したハウジングと、前記ハウジングの一側面に形成されるスリットと、前記一側面に形成されるネジ孔と、前記ハウジングに取り付け可能な吊り下げ具と、を有する充電式電動工具であって、前記吊り下げ具は、取付孔を有する板状の基端部と、前記基端部から直交状に突出する挿入片と、前記基端部に連結されたＵ字状の係止部と、を有し、前記係止部は、前記基端部に連結される第１連結部及び第２連結部を有して、前記吊り下げ具の一方の端縁と前記取付孔との間に前記第１連結部が配置され、前記吊り下げ具の他方の端縁と前記取付孔との間に前記第２連結部が配置されるものであり、前記吊り下げ具は、前記係止部を後方に突出させた姿勢で前記挿入片を前記スリットに挿入し、前記取付孔を貫通させたネジを前記ネジ孔へねじ込むことによって、前記ハウジングに取り付けられることを特徴とするものである。
上記目的を達成するために、請求項３に記載の発明は、モータと、前記モータを内設したハウジングと、前記ハウジングの一側面に形成されるスリットと、前記一側面に形成されるネジ孔と、前記ハウジングに取り付け可能な吊り下げ具と、を有する充電式電動工具であって、前記吊り下げ具は、取付孔を有する板状の基端部と、前記基端部から直交状に突出する挿入片と、前記基端部に連結されたＵ字状の係止部と、を有し、前記基端部と前記係止部との連結部は、前記一側面側に配置されるものであり、前記吊り下げ具は、前記係止部を後方に突出させた姿勢で前記挿入片を前記スリットに挿入し、前記取付孔を貫通させたネジを前記ネジ孔へねじ込むことによって、前記ハウジングに取り付けられることを特徴とするものである。
請求項４に記載の発明は、充電式電動工具用の吊り下げ具であって、取付孔を有する板状の基端部と、前記基端部に連結されたＵ字状の係止部と、前記基端部から直交状に突出する挿入片と、を有し、前記係止部は、前記基端部に連結される第１連結部及び第２連結部を有して、前記第１連結部及び前記第２連結部の間に、前記取付孔及び前記挿入片が配置されるものであり、前記係止部を後方に突出させた姿勢で前記挿入片を前記充電式電動工具の一側面に形成されたスリットに挿入し、前記取付孔を貫通させたネジを前記充電式電動工具の一側面に形成されたネジ孔へねじ込むことによって、前記充電式電動工具に取り付けられることを特徴とするものである。
請求項５に記載の発明は、充電式電動工具用の吊り下げ具であって、取付孔を有する板状の基端部と、前記基端部に連結されたＵ字状の係止部と、前記基端部から直交状に突出する挿入片と、を有し、前記係止部は、前記基端部に連結される第１連結部及び第２連結部を有して、前記吊り下げ具の一方の端縁と前記取付孔との間に前記第１連結部が配置され、前記吊り下げ具の他方の端縁と前記取付孔との間に前記第２連結部が配置されるものであり、前記係止部を後方に突出させた姿勢で前記挿入片を前記充電式電動工具の一側面に形成されたスリットに挿入し、前記取付孔を貫通させたネジを前記充電式電動工具の一側面に形成されたネジ孔へねじ込むことによって、前記充電式電動工具に取り付けられることを特徴とするものである。
請求項６に記載の発明は、充電式電動工具用の吊り下げ具であって、取付孔を有する板状の基端部と、前記基端部に連結されたＵ字状の係止部と、前記基端部から直交状に突出する挿入片と、を有し、前記係止部を後方に突出させた姿勢で前記挿入片を前記充電式電動工具の一側面に形成されたスリットに挿入し、前記取付孔を貫通させたネジを前記充電式電動工具の一側面に形成されたネジ孔へねじ込むことによって、前記基端部と前記係止部との連結部を前記一側面側に配置した状態で前記充電式電動工具に取り付けられることを特徴とするものである。
請求項７に記載の発明は、ハウジングの一側面にスリット及びネジ孔を有して請求項４乃至６の何れかに記載の充電式電動工具用の吊り下げ具を取り付け可能な充電式電動工具としたものである。
請求項８に記載の発明は、モータと、前記モータを内設したハウジングと、前記ハウジングの一側面に形成されるスリットと、前記一側面に形成されるネジ孔と、を有する充電式電動工具であって、直交状に突出する挿入片及び取付孔を有する板状の基端部と、その基端部に連結されたＵ字状の係止部とを有し、前記係止部は、前記基端部に連結される第１連結部及び第２連結部を有して、前記第１連結部及び前記第２連結部の間に、前記取付孔及び前記挿入片が配置される吊り下げ具を、前記係止部を後方に突出させた姿勢で前記挿入片を前記スリットに挿入し、前記取付孔を貫通させたネジを前記ネジ孔へねじ込むことにより、前記ハウジングに取り付け可能としたことを特徴とするものである。
請求項９に記載の発明は、モータと、前記モータを内設したハウジングと、前記ハウジングの一側面に形成されるスリットと、前記一側面に形成されるネジ孔と、を有する充電式電動工具であって、直交状に突出する挿入片及び取付孔を有する板状の基端部と、その基端部に連結されたＵ字状の係止部とを有し、前記係止部は、前記基端部に連結される第１連結部及び第２連結部を有して、前記吊り下げ具の一方の端縁と前記取付孔との間に前記第１連結部が配置され、前記吊り下げ具の他方の端縁と前記取付孔との間に前記第２連結部が配置される吊り下げ具を、前記係止部を後方に突出させた姿勢で前記挿入片を前記スリットに挿入し、前記取付孔を貫通させたネジを前記ネジ孔へねじ込むことにより、前記ハウジングに取り付け可能としたことを特徴とするものである。
請求項１０に記載の発明は、モータと、前記モータを内設したハウジングと、前記ハウジングの一側面に形成されるスリットと、前記一側面に形成されるネジ孔と、を有する充電式電動工具であって、直交状に突出する挿入片及び取付孔を有する板状の基端部と、その基端部に連結されたＵ字状の係止部とを有する吊り下げ具を、前記係止部を後方に突出させた姿勢で前記挿入片を前記スリットに挿入し、前記取付孔を貫通させたネジを前記ネジ孔へねじ込むことにより、前記基端部と前記係止部との連結部を前記一側面側に配置した状態で前記ハウジングに取り付け可能としたことを特徴とするものである。
【発明の効果】
【０００７】
本発明によれば、係止部を後ろ向きに突出させたことで、充電式電動工具を腰のベルト等に収まりよく携帯でき、携帯時の安定性も高くなる。
【発明を実施するための最良の形態】
【０００８】
以下、本発明の実施の形態を図面に基づいて説明する。
図１は、充電式電動工具の一例であるインパクトドライバの斜視図で、まずインパクトドライバ１は、モータ及び回転打撃機構を内設した本体２の下方に、ハウジングであるハンドル３を延設し、そのハンドル３の下端にバッテリーであるバッテリーパック４を装着した構成となっている。ハンドル３とバッテリーパック４との装着は、ハンドル３の下端で拡開状に形成された装着部５の左右に、一対のガイドレール６，６を形成し、そのガイドレール６，６間に、バッテリーパック４の上面に設けた図示しない一対のスライドレールを前方からスライドさせる構造で、このスライドにより、スライドレールがガイドレール６，６に保持されると共に、装着部５とバッテリーパック４の上面とに設けた端子同士が電気的接続される。７は、バッテリーパック４の装着位置で装着部５の前端に係止するロックボタンである。
【０００９】
また、ハンドル３の下端際となる左右のガイドレール６，６の外面には、吊り下げ具２０の取付部８が夫々設けられている。この取付部８は、ネジ孔９と、そのネジ孔９の上方前寄りで前後方向に形成された凹部としてのスリット１０とからなり、左右のガイドレール６，６間で対称となる位置で夫々形成されている。
【００１０】
一方、吊り下げ具２０は、図２，３に示すように、板状の基端部２１と、その基端部２１に連結された係止部２２とからなる。基端部２１における幅方向の中心には、先端を直交状に突出させたＬ字状の回り止め片２３（回り止め部）が、リベット２４によって回転可能に設けられている。また、回り止め片２３の係止部２２側には、回り止め片２３をスリット１０に差し込んだ状態でネジ孔９へのネジ１１のねじ込みを可能とする一対の取付孔２５，２５が、リベット２４の軸心を通る基端部２１の中心線を挟んだ対称位置に形成されている。２６は、基端部２１の表側及び周囲を覆う樹脂製のカバーで、表側には、取付孔２５，２５を露出させる窓２７が形成されている。
さらに、係止部２２は、Ｕ字状の金属棒で、両端を基端部２１に連結することで、基端部２１からループ状に突出している。
【００１１】
以上の如く構成されたインパクトドライバ１においては、左右何れかの取付部８において、係止部２２を後ろ向きにした吊り下げ具２０の回り止め片２３をスリット１０に挿入し、上下何れかの取付孔２５を選択してネジ１１を貫通させ、ネジ孔９にねじ込むと、図５に示すように、吊り下げ具２０は、係止部２２を装着部５及びバッテリーパック４から後方へ突出させた状態でインパクトドライバ１に装着される。よって、インパクトドライバ１を携帯する場合は、インパクトドライバ１を逆さまにして、図６に示すように、吊り下げ具２０の係止部２２を作業者の腰に装着したカラビナ１２等に係止させれば、インパクトドライバ１を吊り下げ携帯することができる。なお、左右逆に携帯したい場合は、吊り下げ具２０を反対側の取付部８に取り付ければよい。回り止め片２３は回転可能であるため、左右逆にしても支障なくスリット１０への挿入は可能である。
【００１２】
このように、上記形態のインパクトドライバ１によれば、下端にバッテリーパック４が装着されるハンドル３の下端際の側面に、端部に係止部２２を備えた吊り下げ具２０を、係止部２２を後方へ突出させた状態で装着したことで、腰のベルト等に収まりよく携帯でき、携帯時の安定性も高くなる。
特にここでは、吊り下げ具２０の基端部２１をハンドル３の側面にネジ止めする一方、そのネジ止め位置と異なる位置で基端部２１に突設した回り止め片２３を、ハンドル３の側面に形成されたスリット１０に挿入させて吊り下げ具２０の装着を行うことで、吊り下げ具２０がハンドル３へ簡単且つ確実に装着され、携帯時の安定性がより高くなる。
【００１３】
さらに、吊り下げ具２０をネジ止めするネジ孔９とスリット１０とをハンドル３の左右の両側面に夫々対称に形成して、吊り下げ具２０を両側面の何れにも装着可能としたことで、取扱いがし易い方を選択してインパクトドライバ１を携帯でき、より使い勝手が向上する。
そして、吊り下げ具２０を係止部２２の突出角度が異なる複数の姿勢で装着可能としたことで、係止部２２の突出角度の選択が可能となり、使い勝手の一層の向上が図られる。
【００１４】
なお、吊り下げ具において、例えば取付孔の数を増やして係止部の突出角度の調整をより細かく行えるようにしてもよい。この場合、夫々独立した取付孔を並設してもよいが、隣接する取付孔同士が端部間で繋がる連続状に形成することもできる。また、取付孔の増加による構造に限らず、回り止め片やスリットの数を増やすことでも同様に吊り下げ具を複数の姿勢で装着可能となる。
さらに、吊り下げ具の装着形態は、回り止め部をピン形状に、凹部をそれに合わせた丸形状に夫々形成したり、回り止め部を基端部と別体とせずに基端部に直接突設してハウジングの凹部に嵌合させたり等の設計変更が考えられる。また、回り止め部や凹部をなくして二箇所でネジ止めすることも可能である。
【００１５】
一方、係止部も、上記形態ではループ状としてカラビナに係止させているが、これと逆に、係止部をカラビナにして腰のベルト等に設けたリングに係止させたり、係止部をフック状にしたりしても差し支えない。
その他、充電式電動工具の形態も、バッテリーパックの装着がスライド式でなく、ハンドルの下方からバッテリーパックの上部を差し込む構造であっても、本発明は採用可能である。勿論充電式電動工具としてはインパクトドライバに限らず、インパクトレンチや電動ドライバ等の他のタイプであっても吊り下げ具による吊り下げ携帯は可能である。
【図面の簡単な説明】
【００１６】
【図１】インパクトドライバ及び吊り下げ具の分解斜視図である。
【図２】吊り下げ具の説明図で、（Ａ）が正面、（Ｂ）が平面、（Ｃ）が背面を夫々示す。
【図３】吊り下げ具の斜視図で、（Ａ）が正面側から、（Ｂ）が背面側から夫々見た状態で示す。
【図４】吊り下げ具を装着したインパクトドライバの斜視図である。
【図５】インパクトドライバを吊り下げ携帯する状態の説明図である。
【符号の説明】
【００１７】
１・・インパクトドライバ、２・・本体、３・・ハンドル、４・・バッテリーパック、５・・装着部、８・・取付部、９・・ネジ孔、１０・・スリット、１１・・ネジ、１２・・カラビナ、２０・・吊り下げ具、２１・・基端部、２２・・係止部、２３・・回り止め片、２５・・取付孔、２６・・カバー。
【図１】
0005352153.tif 000002
【図２】
0005352153.tif 000003
【図３】
0005352153.tif 000004
【図４】
0005352153.tif 000005
【図５】
0005352153.tif 000006